(57)【要約】      （修正有）【課題】確実に排気の浄化精度のアップが図れる電気掃除機の二次的浄化システムを提供する。【解決手段】電気掃除機の排気口から柔軟な素材のパイプで繋ぐことができる二次的浄化システムであって、電気掃除機と二次的浄化システムとを繋ぐ排気の送気パイプ２は、軟弱な素材で距離延長は自在に継ぎ足すことができるものであり、かつ、電気掃除機本体１とのジョイントする管２１は、管が折れ曲がっても通気が確保できる装備が施されており、パイプにより通気された排気を受ける二次的浄化システムの混合空間容器３は、加湿器からの水蒸気状の気体、或いは噴霧器からの霧状の液体との混合により微細な粒子の塵埃を密着結合し沈下するものであり、パイプにより通気された排気を受ける二次的浄化システムの方形筒４は、筒の内側に粘着板４２を上下交互に障壁版として設定し、排出される微細な塵埃の衝突を吸着的に沈下する。【選択図】図１
0003218541.tif 000002
【実用新案登録請求の範囲】
【請求項１】
電気掃除機の排気口から柔軟な素材のパイプで繋ぐことができる二次的浄化システムは、自在で任意のところに設置でき、電気掃除機本体内部には技法的に、或いは構造的に装備できないが、微細な塵埃に対し効果的な浄化機能を備えたシステムでる。
・  電気掃除機と二次的浄化システムとを繋ぐパイプは、軟弱な素材で距離延長は自在に継ぎ足すことができる。特に電気掃除機本体とのジョイント部は、管が折れ曲がっても通気が確保できる装備が施されているパイプである。
・  パイプにより通気された排気を受ける二次的浄化システムの混合空間容器において、加湿器からの水蒸気状の気体、或いは噴霧器からの霧状の液体との混合により微細な粒子の塵埃を密着結合し沈下するシステム。
・  パイプにより通気された排気を受ける二次的浄化システムの方形筒において、筒の内側に粘着板を上下交互に障壁版として設定し、排出される微細な塵埃の衝突を吸着的に沈下するシステム。
【考案の詳細な説明】
【技術分野】
【０００１】  電気掃除機による吸気に対する浄化度には限界が存在し、更なる排気の浄化度アップが求められています。確実に排気の浄化精度のアップが図れる二次的浄化装置を備えた電気掃除機に関する。
【背景技術】
【０００２】  電気掃除機において吸引と排気を行うファンモーターの勢いから、吸引量と排気量はほぼ同量と考えるのが一般的であり、肉眼では見えない微細な粒子の塵埃が排出されていることは確かである。そして、市販市場では電気掃除機の排気の浄化能力が競われていることは周知のとおりであります。しかし、電気掃除機には内蔵できるスペース的限界は止む無く、構造上或いは機能上の限界が存在し、新たな先行事例に無い斬新な浄化システムが求められます。特に、浄化技法は電気掃除機本体の浄化技法とは異なる、即ち重ならない技法で、超微細な粒子に塵埃の特質を熟知した浄化システムが望まれます。
本考案は、上述の課題に鑑みたものであり、電気掃除機本体の浄化機能に加え、更に排気の清浄化が図れる抜本的な二次的浄化システムであります。特に、塵埃の特質に対処した、気体或いは液体、そして粘着板などによる濾過、結合、粘着など末尾的に沈下浄化が図れるシステムであります。
【先行技術文献】
【特許文献】
【０００３】
【特許文献１】特開２０１２−１２５５２８号
【特許文献２】特開平６−３０４０９５号
【特許文献３】実開平５−３５０４７号
【特許文献４】実開昭和６１−１５１６４８号
【特許文献５】実願昭５２−０４３７１３号
【考案の概要】
【考案が解決しようとする課題】
【０００４】  特許文献１に示す公知例では、各部屋に排気ホースの取り付ける口を、窓枠や戸枠に工事し、取り付け部分を設置したもので、特に二次的浄化装置は備わっていない。【０００５】  特許文献２は、工場内の無塵室での清掃を仮定した掃除機と思われ、特に外気に対する劣悪な環境に配慮したシステムで、上記特許文献１よりもさらに大規模な工事があらかじめ必要とされ、家庭内ではそのような大規模な工事は負担が大きく、実施は不可能である。【０００６】  特許文献３は、電気掃除機本体の排気口に、室外への排気用のパイプが取り付けられたものである。室外あるいは屋外への排気の浄化に関する環境上の対策が講じられていない。即ち、二次的浄化装備は考案されていない。【０００７】  特許文献４は、部屋全体の空気の清浄化を図る方式であり、病院や食品工場などを生業とする目的で、一般家庭用としては実用的でない。【０００８】  特許文献５の排気用ホースは、掃除機本体から屋外に面した窓又は戸口及び室外に通じる場所の枠等に、着脱自在であるがこれらの場所に合った留め具により「排気放出具」が取り付けられ固定されるものである。また、１部屋毎に「排気放出具」の着脱を必要とし、分散排気口の内面の排気フィルター機能はウレタン等の素材である。放出位置の自在性が無く、フィルター機能も本体掃除機と同種の技法で効果的ではなく、超微細な粒子の塵埃の捕捉に限界がある。【０００９】  本考案は上述の課題に鑑みてなされるものであり、電気掃除機からの排気に混ざった塵埃の飛散は環境衛生上問題であり、清掃作業においてクリーンな環境づくりは衆目が一致するところであります。しかし、電気掃除機本体のフィルター機能には内蔵装備において、容量的には当然、そして浄化機能にも技法的に限界がある。よって、本考案は電気掃除機本体に直接取り付けるのではなく、電気掃除機からの排気をパイプにより漏らすことなく、二次的浄化システムに繋ぎ、電気掃除機本体のフィルター機能の技法とは重ならない効果的な浄化システムにより、電気掃除機からの排気が室内空間に舞い上がることが無い環境が図れるシステムを考案したものであります。
また、この装置は家屋に造作を施すことはなく、容易に清掃作業ができる。そして、経費的にも低廉で一般家庭用としての活用が期待されます。
【課題を解決するための手段】
【００１０】  （請求項１）
電気掃除機の排気口から柔軟な素材のパイプで繋ぐことができる二次的浄化システムは、自在で任意のところに設置でき、電気掃除機本体内部には技法的に、或いは構造的に装備できないが、微細な塵埃に対し効果的な浄化機能を備えたシステムでる。
・  電気掃除機と二次的浄化システムとを繋ぐパイプは、軟弱な素材で距離延長は自在に継ぎ足すことができる。特に電気掃除機本体とのジョイント部は、管が折れ曲がっても通気が確保できる装備が施されているパイプである。
・  パイプにより通気された排気を受ける二次的浄化システムの混合空間容器において、加湿器からの水蒸気状の気体、或いは噴霧器からの霧状の液体との混合により微細な粒子の塵埃を密着結合し沈下するシステム。
・  パイプにより通気された排気を受ける二次的浄化システムの方形筒において、筒の内側に粘着板を上下交互に障壁版として設定し、排出される微細な塵埃の衝突を吸着的に沈下するシステム。【００１１】  電気掃除機の排気を直接放出せず、パイプにより前者とは重ならない効果的な浄化技法を備えた二次的浄化システムである。よって確実に電気掃除機からの排気に対する浄化度はアップし、クリーンな環境が保持できるものである。【００１２】  混合空間容器において、加湿器からの水蒸気や噴霧器からの霧の方向性は、パイプからの排気に対し、逆風とならい方向で双方が容器全体に蔓延し、底に沈下するための水分の受け皿を備えるシステムである。
また、方形筒の粘着板は、虫取り紙を両面に貼り付けたが如くの障壁版で、複数枚を備えたシステムであり、適時に取り替え可能な消耗品である。
【考案の効果】
【００１３】  電気掃除機のフィルターを通過した排気には、肉眼では見えない微細な塵埃が含まれた排気が、清掃作業中及び清掃後も長時間にわたり、室内に飛散し環境衛生上問題である。電気掃除機の排気による環境の劣悪化は許されない。考案の二次的浄化システムは、微細な塵埃の特質に対処すべき効果的な浄化技法により排気の不快感を払拭しクリーンな環境づくりに貢献できる浄化システムである。
【図面の簡単な説明】
【００１４】
【図１】  本考案の基本構成図、及び全体図。
【考案を実施するための形態】
【００１５】  電気掃除機と二次的浄化システムとを繋ぐパイプは、柔軟なビニール製等の消耗品的素材であるが、電気掃除機の排気口とのジョイント部はパイプが折れ曲がっても通気が塞がることが無いよう、管にリングが入ったアコーディオン状のパイプを備え通気が確保される。また、パイプの延長は２点間を余裕を持って繋ぐことで、パイプにかかる張力の負荷が掛からず長期の使用に耐える。
【００１６】  二次的浄化システムは、電気掃除機からの排気が、パイプを通気して、混合空間容器に放出されるシステムであるが、送気の排気には微細な粒子の塵埃が残留しているが、混合空間容器において滞留蔓延させ、一方の加湿器からの水蒸気、或いは噴霧器からの霧は、適時に発出する気体、或いは液体との密着において、排気の粒子との結合沈下する装置である。
また、方形筒においては、電気掃除機からの排気を複数の粘着板を障壁版として吸着的に沈下するシステムである。
【実施例】
【００１７】  上記説明のとおり、電気掃除機からの排気に混在する微細な粒子の塵埃を、的確な手法で除去できるシステムである。環境衛生上、室内に限らず近隣の家屋への環境にも配慮できるものであります。特に清掃の期間が空き、多量の塵埃が残留した排気であっても、二段階式の浄化機能により、環境衛生的に排気の浄化度が高く、近隣周辺にも不快感を及ぼすことは無い。
【産業上の利用可能性】
【００１８】  清掃作業において、電気掃除機から発生する排気に対し、内蔵されているフィルターの浄化機能の能力の限界が追求され競われていますが。本考案の「二次的浄化システム」は排気に含まれる超微細な粒子の塵埃の実態に対する浄化作用を自然界の単純な技法により混合、結合、沈下、或いは粘着などの手法により完全浄化を目指したものであります。一般家庭でも使用できる低廉な経費で、浄化効果に優れたシステムであります。
【符号の説明】
【００１９】１    電気掃除機本体
２    排気の送気パイプ
２１  電気掃除機の排気口にジョイントする管
２２  ２１の管が屈曲した形体
３    混合空間容器
３１  パイルからの排気受部
３２  加湿器、及び噴霧器からの送通ジョイント部
３３  混合空間容器の排気口
３４  水分受け皿
４    方形筒
４１  パイプからの排気受部
４２  粘着板
４３  方形筒の排気口
【図１】
0003218541.tif 000003
【手続補正書】
【提出日】平成30年8月6日(2018.8.6)
【手続補正１】
【補正対象書類名】実用新案登録請求の範囲
【補正対象項目名】全文
【補正方法】変更
【補正の内容】
【実用新案登録請求の範囲】
【請求項１】
電気掃除機の排気口から柔軟な素材のパイプで繋ぐことができる二次的浄化システムであって、
前記電気掃除機と前記二次的浄化システムとを繋ぐ前記パイプは、軟弱な素材で距離延長は自在に継ぎ足すことができるものであり、かつ、電気掃除機本体とのジョイント部は、管が折れ曲がっても通気が確保できる装備が施されており、
前記パイプにより通気された排気を受ける前記二次的浄化システムの混合空間容器は、加湿器からの水蒸気状の気体、或いは噴霧器からの霧状の液体との混合により微細な粒子の塵埃を密着結合し沈下するものであり、
前記パイプにより通気された排気を受ける前記二次的浄化システムの方形筒は、筒の内側に粘着板を上下交互に障壁版として設定し、排出される微細な塵埃の衝突を吸着的に沈下するものである
このことを特徴とする二次的浄化システム。